(57)【要約】【課題】  和柄模様を備えた皮ベルトとその製造方法の提供。【解決手段】  和柄模様を備えた皮ベルトは、表面側ベルトと裏面側ベルトとから構成され、表面側ベルトは長さ方向に複数個の打ち抜き穴が設けられている。打ち抜きにより分離された打ち抜き片５は、周辺部を和柄模様の生地の厚さだけ削り取られた後に、表面部と周辺部とに和柄模様の生地が接着され、和柄模様の生地と一体にされた打ち抜き片５は、表面側ベルトの裏面側から表面部が表面側ベルトの上面と面一になる位置まで嵌め込まれる。表面側ベルト２の下側にはみ出た和柄模様の生地６は、表面側ベルト２の裏面側に接着される。裏面側ベルト３は、表面側ベルト２の裏面側と接着される。次いで、打ち抜き片に近接した部分と皮ベルトの周辺部に沿った部分とを、それぞれ手縫い糸によって縫い止めされ、皮ベルトは模様空白部に装飾用ビスが取り付けられる。【選択図】      図１
2007031842.tif 000002
【特許請求の範囲】
【請求項１】
表面側と裏面側とが貼り合わされた皮ベルトにおいて、表面側ベルトの所定の各位置に複数個の打ち抜き穴が設けられ、分離された各打ち抜き片は表面側を覆う生地の厚さ分だけ周辺部を削り取られるとともに、各打ち抜き片の上面と周辺部とに和柄等の柄模様を備えた生地が接着され、接着剤の乾燥後に柄模様の生地と一体の各打ち抜き片が表面側ベルトの裏面側から上面が表面側ベルトの表面と面一になるよう嵌め込まれ、各打ち抜き片の下側にはみ出ている柄模様の生地は表面側ベルトの裏面側に接着され、また、裏面側ベルトは表面側ベルトの裏面側全体と接着され、表側と裏側とが貼り合わされた皮ベルトは、前記各打ち抜き片の周辺部外側と皮ベルトの長さ方向の周辺部内側とを手縫いの糸によって縫い止めされ、皮ベルトの一端側にバックルが取り付けられる
ことを特徴とする柄模様を備えた皮ベルト。
【請求項２】
表面側と裏面側とが貼り合わされた皮ベルトにおいて、表面側ベルトは裏面側ベルトより幾分薄く形成された所定の各位置に複数個の打ち抜き穴が設けられ、分離された各打ち抜き片は表面側を覆う生地の厚さ分だけ周辺部を削り取られるとともに、各打ち抜き片の上面と周辺部とに和柄模様を備えた生地が接着され、接着剤の乾燥後に和柄模様の生地と一体の各打ち抜き片が表面側ベルトの裏面側から上面が表面側ベルトの表面と面一になるよう嵌め込まれ、各打ち抜き片の下側にはみ出ている和柄模様の生地は表面側ベルトの裏面側に接着され、また、裏面側ベルトはバックル取り付け側の一端を裏面側から表面側ベルトの厚さより薄くなるよう削り取られて表面側ベルトの裏面側全体と接着され、表側と裏側とが貼り合わされた皮ベルトは、前記各打ち抜き片の周辺部外側と皮ベルトの長さ方向の周辺部内側とを手縫いの糸によって縫い止めされ、皮ベルトの接着時に発生した不揃い部分を手直しするとともに、塗装のとれた皮ベルトの必要個所に仕上げ塗装を施し、幾分薄く形成された皮ベルトの一端側にバックルが取り付けられる
ことを特徴とする和柄模様を備えた皮ベルト。
【請求項３】
前記複数個の打ち抜き穴は、同一形状または異なる形状に形成されている
ことを特徴とする請求項２に記載の和柄模様を備えた皮ベルト。
【請求項４】
前記和柄模様の生地、前記各打ち抜き片の周辺部の手縫い糸、及び前記皮ベルトの周辺部内側の手縫い糸のいずれとも交叉しない模様空白部分に複数個の装飾用ビスが取り付けられている
ことを特徴とする請求項２または請求項３に記載の和柄模様を備えた皮ベルト。
【請求項５】
ベルト厚さの１／３程度の厚さを有する表面側ベルトに、複数個の打ち抜き穴を形成し、分離された打ち抜き片の周辺部を接着される和柄模様の生地の厚さだけ削り取った後、これら打ち抜き片の上面と周辺部とに和柄模様を備えた生地を接着し、該生地と一体化された打ち抜き片を表面側ベルトの裏面側から嵌め込み、それらの生地表面が表面側ベルトの上面と面一になった位置で、打ち抜き片の下側にはみ出ている和柄模様の生地周辺部を表面側ベルトの裏面側に接着し、次いで、裏面側ベルトのバックル取り付け側の一端を裏面側から削り取って表面側ベルトの厚さより薄くしたのち表面側ベルトの裏面側と接着し、表側と裏側とが貼り合わされた皮ベルトに対し、前記各打ち抜き片の周辺部外側と皮ベルトの長さ方向の周辺部内側とを手縫いの糸によって縫い止めし、皮ベルトの接着時に発生した不揃い部分を手直しするとともに、塗装のとれた皮ベルトの必要個所に仕上げ塗装を施し、幾分薄く形成された皮ベルトの一端側にバックルを取り付ける
ことを特徴とする和柄模様を備えた皮ベルトの製造方法。
【発明の詳細な説明】
【技術分野】
【０００１】
本発明は、皮ベルトに和柄模様を装飾することができるようにした和柄模様を備えた皮ベルトとその製造方法に関するものである。
【背景技術】
【０００２】
従来、服飾ベルトとしては、スポンジ層を中間ベースとした合成皮革製の帯状片の両側辺を長手方向に沿って二つ折りにし、その合わせ目を接着して両側端に二枚構造部を形成するとともに、表側中央部に凹溝を有するベルト本体を構成し、この凹溝に前記帯状片と異色同質で且つ該凹溝と同じ幅員の紐状片を嵌込して接着した後、前記二枚構造部の内外両側縁部に糸目状の凹凸模様を表出し、また前記凹溝に接着された紐状片の表面にエンボッシング加工によって所要形状の凹凸模様を表出することが行われていた。
【特許文献１】実開昭５４−１０３２１号公報
【０００３】
また、一般の皮ベルトでは、塗装された表面側ベルトと裏面側ベルトとを直接に接着剤で貼合わせるか、中間層の芯材ベルトの両面に接着剤で貼合わせた後、重合された皮ベルトの幅方向の両端部の長さ方向に縫製によって糸目状の凹凸模様を形成するか、皮ベルトの表面にエンボッシング加工によって所要形状の凹凸模様が表出されたりする他、これらの凹凸模様の間の空白部に装飾用ピンを取り付けることなども行われていた。
【０００４】
しかしながら、従来の服飾ベルトでは、両側辺に形成される二つ折り部分とそれらの中間に位置する紐状片とによって服飾ベルトの構成が大きく制約される上、服飾ベルトに付与できる模様も、二つ折り部分の長さ方向に表出される糸目状の凹凸模様や、前記紐状片の表面にエンボッシング加工によって表出される所要形状の凹凸模様などに限定されるため、模様に大きな変化をもたせることが難しくなる問題点があった。
【０００５】
また、接着により重合された二層または三層の皮ベルトの場合、表面側の構成は、前記服飾ベルトの場合より制約されることは少なくなるが、縫製用の糸やエンボッシング加工によって表出できる凹凸模様には、前記服飾ベルトの場合と同じような問題点があった。
しかも、これらのベルトに対し、エンボッシング加工によって凹凸模様を付与する場合、エンボッシング加工に用いる器具に予め凹凸模様を形成しなければならないため、模様の付与に多くの手数を要するだけでなく、加工に要する費用も割高になる不都合があった。
【発明の開示】
【発明が解決しようとする課題】
【０００６】
しかしながら、上記のような不都合や問題点に対して、本願出願人の知るところでは、適切に対応して課題を解決したような技術は存在していないようである。本発明は、上記事情に鑑みてなされたものであり、簡単な作業手順と少ない和柄模様の生地を用いて割安な加工費により、各種和柄模様を皮ベルトに表出することができるようにした和柄模様を備えた皮ベルトとその製造方法を提供することを目的とする。
【課題を解決するための手段】
【０００７】
上記目的を達成するために、本発明における柄模様を備えた皮ベルトは、表面側と裏面側とが貼り合わされた皮ベルトにおいて、表面側ベルトの所定の各位置に複数個の打ち抜き穴が設けられ、分離された各打ち抜き片は表面側を覆う生地の厚さ分だけ周辺部を削り取られるとともに、各打ち抜き片の上面と周辺部とに和柄等の柄模様を備えた生地が接着され、接着剤の乾燥後に柄模様の生地と一体の各打ち抜き片が表面側ベルトの裏面側から上面が表面側ベルトの表面と面一になるよう嵌め込まれ、各打ち抜き片の下側にはみ出ている柄模様の生地は表面側ベルトの裏面側に接着され、また、裏面側ベルトは表面側ベルトの裏面側全体と接着され、表側と裏側とが貼り合わされた皮ベルトは、前記各打ち抜き片の周辺部外側と皮ベルトの長さ方向の周辺部内側とを手縫いの糸によって縫い止めされ、皮ベルトの一端側にバックルが取り付けられることを特徴とする。
また本発明における和柄模様を備えた皮ベルトとその製造方法では、皮ベルトは表面側ベルトと裏面側ベルトとから構成され、表面側ベルトの設定された各位置に予め決めた形状の打ち抜き穴を形成し、分離された打ち抜き片の周辺部を貼り付けられる生地の厚さだけ削り落してその表面と周側面とに和柄模様を備えた生地を接着し、接着剤の乾燥後に和柄模様と一体の打ち抜き片を表面側ベルトの裏面側から嵌め込み、和柄模様の生地表面が表面側ベルトの上面と面一になった位置で、打ち抜き片の下側にはみ出た和柄模様の生地を上面側ベルトの裏面側に接着し、下面側ベルトに対しては、一端を下面側から削って表面側ベルトより薄くなるように形成したのち表面側ベルトの下面側と接着し、前記各打ち抜き片の周辺部外側と皮ベルトの長さ方向の周辺部内側とに手縫いの糸によって縫い止めを施し、皮ベルトの接着時に発生した不揃い部分を手直しするとともに、塗装のとれた皮ベルトの必要個所に仕上げ塗装を施し、幾分薄く形成された皮ベルトの一端側にバックルを取り付けるようにしたことを特徴とする。
【０００８】
また、好ましくは上記構成において、表面側ベルトに設けられる複数個の打ち抜き穴は同一または異なる形状に形成され、各打ち抜き片に接着される和柄模様の生地も、それぞれ変更し得るようにしたことを特徴とする和柄模様を備えた皮ベルトとその製造方法である。
【０００９】
また、好ましくは上記構成に加えて、皮ベルトの模様空白部分に装飾用ビスを取り付けて皮ベルトに対する模様の表出にさらに変化を持たせ得るようにしたことを特徴とする和柄模様を備えた皮ベルトとその製造方法である。
【発明の効果】
【００１０】
本発明の和柄等の柄模様を備えた皮ベルトとその製造方法によれば、皮ベルトに対する柄模様の表出は、表面側ベルトの長さ方向に設けられた複数個の打ち抜き穴に、柄模様の生地を接着された打ち抜き片を嵌め込んで固定することにより行われているため、簡単な作業手順によって皮ベルトの長さ方向に変化に富んだ和柄模様を容易かつ確実に表出することができる。また、柄模様の生地を損傷するおそれが少なく和柄の場合も細かい模様を長くきれいな状態で使用することができる。さらにまた、腰に巻いて使用した場合のベルトとしての十分な強度を保持でき、長く使用することが可能であり、湾曲して使用するベルトにおいても柄模様が伸縮して変形することがなく花などの和柄においても図案どおりの柄を長く保持したまま使用することができる。
しかも、打ち抜き片に接着される和柄模様の生地は少なくてすむため、着物などの仕立てに使用された残り生地を有効に活用できる利点があり、和柄模様を表出するに要する費用を少なくすることができる。
【発明を実施するための最良の形態】
【００１１】
以下、本発明の和柄模様を備えた皮ベルトとその製造方法について更に詳細に説明する。
【００１２】
図１は、本発明の和柄模様を備えた皮ベルトの一実施例を示す平面図である。図２は図１における皮ベルトの部分を分離して示した断面図であり、図３は表面側ベルトと裏面側ベルトの接着部を示したＡ−Ａ断面図で、（ａ）は接着時に発生する不揃い部分、（ｂ）は不揃い部分の手直し後の状態を示す。図４は装飾用ビスの取り付け状態及び和柄模様の表出状態を示すＢ−Ｂ断面図である。
【００１３】
和柄模様を備えた皮ベルト１は、図２に示すように、表面側ベルト２と裏面側ベルト３とを接着して一体に構成されている。
表面側ベルト２は裏面側ベルト３の１／２程度の厚さのものが使用され、表面側ベルト２の長さ方向には、設定された各位置に複数個の打ち抜き穴４が設けられている。打ち抜き穴４の形状は、この実施例では図１に示すように、菱形の左半分を右方向に向けて多少圧縮するように変形された四辺形の形のものが示されているが、打ち抜き穴４はその他の形状としてもよいことは勿論である。また、複数個の打ち抜き穴４は、必ずしも同じ形状にする必要はなく、異なる形状の組み合わせとしてもよい。
【００１４】
表面側ベルト２から分離された打ち抜き片５は、輪郭を形成する周辺部５ｂを打ち抜き片５に接着される和柄模様の生地６の厚さに相当する分だけ削り取られて、打ち抜き穴４より０．５ｍｍ程度小さくなるように仕上げられる。
周辺部５ｂを削り取られた打ち抜き片５は、その表面部５ａと周辺部５ｂとに和柄模様の生地６が接着剤７により貼り付けられる。接着剤７の乾燥後、和柄模様の生地６の織り目から滲み出た各接着剤７の乾燥片は、セロハンテープを押し付けて引き離すことにより、きれいに分離除去する。
【００１５】
和柄模様の生地６が接着された打ち抜き片５は、表面側ベルト２の裏面側から和柄模様の生地６の上面が表面側ベルト２の表面と面一になる位置まで嵌め込まれ、打ち抜き片５の下側にはみ出た和柄模様の生地６は、表面側ベルト２の裏面側に折り曲げられた５〜１０ｍｍの部分を接着剤７により表面側ベルト２の裏面側に接着される。接着剤７の乾燥時に、和柄模様の生地６の織り目から外に滲み出た乾燥した接着片は、セロハンテープを用いて前記したのと同じ手法により分離除去される。
同様の手順を各打ち抜き片５の部分に繰り返すことにより、表面側ベルト２に対し、各種和柄模様の装飾を表出することができる。
【００１６】
また、裏面側ベルト３はバックル８の取り付け側の一端を、皮用カンナ等を用いて裏面側から表面側ベルト２の厚さより薄くなるよう、例えば１ｍｍ程度の厚さに削り取られる。この厚さは裏面側ベルト３の１／３程度で、表面側ベルト２の２／３程度である。一端を削り取られた裏面側ベルト３の上面に表面側ベルト２の下面側が接着剤７により接着される。この接着に際しては、重しを一日近く載せて接着を確実にする。この場合、貼り合わされた長さ方向に、図３（ａ）に示すような１ｍｍ以下の不揃い部分１１が発生することがある。このような不揃い部分１１は乾燥した接着剤７とともに、サンドペーパー等により削り取られ、図３（ｂ）に示すように手直しされたのち、塗料のとれた部分に仕上げ塗装を施す。
【００１７】
表面側ベルト２と裏面側ベルト３が接着された皮ベルト１は、前記各打ち抜き片５の周辺部外側と皮ベルト１の長さ方向に沿った周辺部内側とにそれぞれ一定の間隔で糸通し穴があけられ、これらの各糸通し穴に表側と裏側とから通した２本の手縫い糸９、１０によって、皮ベルト１はしっかりと縫い止めされる。
これらの縫い止めは、接着剤７の接着性能が弱くなった場合にも、貼り合わされた皮ベルト１と和柄模様の生地６に対して分離止め作用を確実に行う役割を果す。
【００１８】
皮ベルト１の模様空白部には、複数個の装飾性ピン１３が、例えば、図１に示すような配列で取り付けられている。これらの装飾用ピン１３は、皮ベルト１にあけた複数個のポンチ穴１２の表面側から挿通し、裏面側ベルト３から突出した部分をカシメで皮ベルト１に取り付けられる。装飾用ピン１３の配列は、図１に示す実施例のものに限定されず、その他の任意の配列としてもよいことは勿論である。
装飾用ピン１３は、表面側ベルト２に設けられる複数個の打ち抜き穴４の形状や個数、各打ち抜き片５に取り付けられる和柄模様の形状や色柄、及びそれらの組み合わせの如何によっては省略してもよい。
【００１９】
一端が幾分薄く形成された皮ベルト１の先端側に、バックル８が従来公知の各種手段によって取り付けられる。
皮ベルト１に取り付けられるバックル８は、図１に示す構成のものに限定されるものではなく、皮ベルト１に設けた貫通穴に挿通される止め金を備えたものでもよい。
【図面の簡単な説明】
【００２０】
【図１】本発明の和柄模様を備えた皮ベルトの一実施例を示す正面図である。
【図２】貼り合わされた皮ベルトの構成を分離して示した断面図である。
【図３】表面側ベルトと裏面側ベルトの接着時の周辺部の状態を示したＡ−Ａ断面図で、（ａ）は接着時に発生する不揃い部分を示した断面図、（ｂ）は不揃い部分を手直しした仕上げ後の状態を示す断面図である。
【図４】装飾用ピンの取り付け状態及び和柄模様の表出状態を示すＢ−Ｂ断面図である。
【符号の説明】
【００２１】
１  皮ベルト
２  表面側ベルト
３  裏面側ベルト
４  打ち抜き穴
５  打ち抜き片
６  和柄模様の生地
７  接着剤
８  バックル
９  手縫い糸
１０  手縫い糸
１１  接着時の不揃い部分
１３  装飾用ビス
【図１】
2007031842.tif 000003
【図２】
2007031842.tif 000004
【図３】
2007031842.tif 000005
【図４】
2007031842.tif 000006